(57)【要約】【課題】閉蓋状態に係止する係止手段を含めてプロテクタ本体の幅寸法を小さくすることができ、より狭い空間に設置可能であるプロテクタを提供すること。【解決手段】底面部１３と一対の側面部１４，１５と隔壁６とを有するプロテクタ本体２と、第１のヒンジ１６で連結された第１の蓋３と、第２のヒンジ１７で連結された第２の蓋４と、隔壁６の出口側端面６ａの出口側端部に設けられた矩形枠７と、第１の蓋３と第２の蓋４とを閉じる係止手段が、矩形枠７の上辺部を構成している矩形孔８ａを有する雌型係止部８と、第１の蓋３の閉側の端面より設けられ、矩形孔８ａの一部を占めるように挿入されかつ雌型係止部８の内端に係止される第１の雄型係止部９と、第２の蓋４の閉側の端面より設けられ、矩形孔８ａに第１の雄型係止部９が挿入された後の矩形孔８ａの開口部分に挿入されかつ雌型係止部８に係止される第２の雄型係止部１０と、を有する。【選択図】  図１
2017118762.tif 000002
【特許請求の範囲】
【請求項１】
底面部と前記底面部の両側縁より一体に延在する一対の側面部と前記一対の側面部間において前記底面部より一体に延在する隔壁とを有し、前記隔壁の出口側端面が前記底面部の端面から離間しているプロテクタ本体と、
前記一対の側面部のうちの一方の側面部と第１のヒンジで連結され、前記一方の側面部から前記隔壁までの前記プロテクタ本体の上部開口を閉じる第１の蓋と、
前記一対の側面部のうちの他方の側面部と第２のヒンジで連結され、前記一方の側面部から前記隔壁までの前記プロテクタ本体の上部開口を閉じる第２の蓋と、
前記隔壁の出口側端部が前記プロテクタ本体の端部から離間している空間を占めて前記底面部および前記隔壁と一体に設けられた矩形枠と、
前記矩形枠と前記第１の蓋と前記第２の蓋との間で設けられ、前記第１の蓋を閉じた状態に係止するとともに、前記第１の蓋を閉じた後に前記第１の蓋を閉じた状態に係止する係止手段と、を有し、
前記係止手段は、
前記矩形枠の上辺部を構成している矩形孔を有する雌型係止部と、
前記第１の蓋の閉側の端面より設けられ、前記矩形孔の一部を占めるように挿入されかつ前記雌型係止部の内端に係止される第１の雄型係止部と、
前記第２の蓋の閉側の端面より設けられ、前記矩形孔に前記第１の雄型係止部が挿入された後の前記矩形孔の開口部分に挿入されかつ前記雌型係止部に係止される第２の雄型係止部と、を備えたことを特徴とするプロテクタ。
【請求項２】
前記第１の雄型係止部は、前記第１の蓋の閉側の端面より設けられ、２つの細柱部と前記各細柱部の外側面より突出する第１の爪部とを有し、前記２つの細柱部が前記矩形孔の両端を占めるように挿入されかつ前記第１の爪部が前記雌型係止部の短辺部奥の段差部に係止されるように構成され、
前記第２の雄型係止部は、前記第２の蓋の閉側の端面より設けられ、板状部と前記板状部の平面より突出する第２の爪部とを有し、前記矩形孔に前記第１の雄型係止部が挿入された後の前記矩形孔の開口部分に前記板状部と第２の爪部が挿入されかつ第２の爪部が前記雌型係止部に長辺部の内端に係止されるように構成されている、ことを特徴とする請求項１に記載のプロテクタ。
【発明の詳細な説明】
【技術分野】
【０００１】
本発明は、車両に配索される２種類の電線束を保護するプロテクタに関する。
【０００２】
特許文献１に開示されたプロテクタは、断続する隔壁を有するプロテクタ本体と、プロテクタ本体にヒンジで接続された蓋と、を有し、プロテクタ本体内に２種類の電線束（例えば、幹線と支線）を分けて挿通させ、蓋を被せ、ロック手段によりロックするように構成されている。
【０００３】
線数が多くなる場合には、プロテクタの幅寸法を大きくして対応させることになるが、蓋の幅方向中央部が盛り上がり、幹線または支線を構成している１本または複数本の電線が蓋と隔壁との間に挟まり損傷する恐れがある、という問題がある。
【０００４】
従来において、この問題を解消するため、図６に示すプロテクタが使用されている。このプロテクタ３０は、幅広なプロテクタ本体３１と、プロテクタ本体３１にヒンジ３３で接続された幅広な蓋３２と、プロテクタ本体３１のヒンジ３３と反対側の側縁部に設けられた雌型係止部３４と、蓋３２のヒンジ３３と反対側の側縁部に設けられた雄型係止部３５と、を有し、さらに、プロテクタ本体３１内の出口近くの幅方向の中途に互いに隣接して設けられた２つの雌型係止部３６と、この２つの雌型係止部３６に対応して、蓋３２に設けられた２つの雄型係止部３７と、を有している。
【先行技術文献】
【特許文献】
【０００５】
【特許文献１】特開２０１２−９０５０５号公報
【発明の概要】
【発明が解決しようとする課題】
【０００６】
しかしながら、図６に示すプロテクタ３０は、２つの雌型係止部３６を備えているので、幅寸法が大きくなり、また雌型係止部３４と雄型係止部３５とがプロテクタ３０の側面より突出していることもプロテクタ３０の幅寸法が大きくなる一因になっており、さらに雌型係止部と雄型係止部との嵌合箇所が３か所あるので、ロックのための作業工数が多くかかっている、という問題がある。
【０００７】
本発明は、上述した問題に鑑みてなされたもので、閉蓋状態に係止する係止手段を含めてプロテクタ本体の幅寸法を小さくすることができ、より狭い空間に設置可能であるプロテクタを提供することを目的としている。
【課題を解決するための手段】
【０００８】
本発明に係るプロテクタは、上記課題を解決するため、底面部と前記底面部の両側縁より一体に延在する一対の側面部と前記一対の側面部間において前記底面部より一体に延在する隔壁とを有し、前記隔壁の出口側端面が前記底面部の端面から離間しているプロテクタ本体と、前記一対の側面部のうちの一方の側面部と第１のヒンジで連結され、前記一方の側面部から前記隔壁までの前記プロテクタ本体の上部開口を閉じる第１の蓋と、前記一対の側面部のうちの他方の側面部と第２のヒンジで連結され、前記一方の側面部から前記隔壁までの前記プロテクタ本体の上部開口を閉じる第２の蓋と、前記隔壁の出口側端部が前記プロテクタ本体の端部から離間している空間を占めて前記底面部および前記隔壁と一体に設けられた矩形枠と、前記矩形枠と前記第１の蓋と前記第２の蓋との間で設けられ、前記第１の蓋を閉じた状態に係止するとともに、前記第１の蓋を閉じた後に前記第１の蓋を閉じた状態に係止する係止手段と、を有し、前記係止手段は、前記矩形枠の上辺部を構成している矩形孔を有する雌型係止部と、前記第１の蓋の閉側の端面より設けられ、前記矩形孔の一部を占めるように挿入されかつ前記雌型係止部の内端に係止される第１の雄型係止部と、前記第２の蓋の閉側の端面より設けられ、前記矩形孔に前記第１の雄型係止部が挿入された後の前記矩形孔の開口部分に挿入されかつ前記雌型係止部に係止される第２の雄型係止部と、を備えた構成である。
【０００９】
この構成により、本発明に係るプロテクタは、係止手段が第１の蓋と第２の蓋との閉じ合わせ側端縁に配設された構成、すなわち、係止手段が幅方向の両側縁ではなく、幅方向の中程に配設された構成であり、しかも、係止手段が、１つの雌型係止部に第１の蓋と第２の蓋とを順に差し込む構成であり、ダブル係止でありながら係止手段の幅がシングル係止の幅で設けられているので、閉蓋状態に係止する係止手段を含めてプロテクタ本体の幅寸法を小さくすることができ、より狭い空間に設置可能である。
【００１０】
本発明に係るプロテクタは、前記第１の雄型係止部は、前記第１の蓋の閉側の端面より設けられ、２つの細柱部と前記各細柱部の外側面より突出する第１の爪部とを有し、前記２つの細柱部が前記矩形孔の両端を占めるように挿入されかつ前記第１の爪部が前記雌型係止部の短辺部奥の段差部に係止されるように構成され、前記第２の雄型係止部は、前記第２の蓋の閉側の端面より設けられ、板状部と前記板状部の平面より突出する第２の爪部とを有し、前記矩形孔に前記第１の雄型係止部が挿入された後の前記矩形孔の開口部分に前記板状部と第２の爪部が挿入されかつ第２の爪部が前記雌型係止部に長辺部の内端に係止されるように構成されているのがよい。
【００１１】
この構成により、本発明に係るプロテクタは、第１の雄型係止部が、雌型係止部の矩形孔の両側部を占めて安定して差し込まれ、第２の雄型係止部が、雌型係止部の矩形孔に第１の雄型係止部が挿入された後の前記矩形孔の残りの開口部分に差し込まれるというダブル係止となり、プロテクタ本体の幅寸法を小さくすることができ、より狭い空間に設置可能である。
【発明の効果】
【００１２】
本発明によれば、閉蓋状態に係止する係止手段を含めてプロテクタ本体の幅寸法を小さくすることができ、より狭い空間に設置可能であるプロテクタを提供することができる。
【図面の簡単な説明】
【００１３】
【図１】本発明の実施形態に係るプロテクタを示す平面図である。
【図２】本発明の実施形態に係るプロテクタを示す一部斜視図である。
【図３】（ａ）図は本発明の実施形態に係るプロテクタを示す一部拡大平面図、（ｂ）図は（ａ）図におけるＡ−Ａ断面図である。
【図４】本発明の実施形態に係るプロテクタの閉蓋状態の一部を示す斜視図である。
【図５】（ａ）図は本発明の実施形態に係るプロテクタの閉蓋状態の一部を示す平面図、（ｂ）図は（ａ）図におけるＢ−Ｂ断面図、（ｃ）図は（ａ）図におけるＣ−Ｃ断面図である。
【図６】従来例に係るプロテクタを示す一部斜視図である。
【発明を実施するための形態】
【００１４】
以下、本発明の実施形態に係るプロテクタについて図面を参照して説明する。
【００１５】
まず構成を説明する。図１〜図５は、本発明の実施形態に係るプロテクタを示す。プロテクタ１は、ポロプロピレン、あるいはポリアミド等の樹脂成形体であり、プロテクタ本体２と、第１の蓋３と、第２の蓋４と、第３の蓋５と、矩形枠７と、を備えている。
【００１６】
プロテクタ１は、第１の蓋３と第２の蓋４とを閉じた状態に係止する係止手段として、矩形枠７の上辺部を構成している第１の雌型係止部８と、第１の雄型係止部９と、第２の雄型係止部１０と、を備えている。プロテクタ１は、さらに第３の蓋５を閉じた状態に係止する係止手段として、第２の雌型係止部１１ａ，１１ｂ，１１ｃと第３の雄型係止部１２ａ，１２ｂ，１２ｃとを備えている。
【００１７】
プロテクタ本体２は、底面部１３の端面１３ａと底面部１３の端面１３ａの両側縁より一体に延在する一対の側面部１４，１５と一対の側面部１４，１５間において底面部１３の端面１３ａより一体に延在する隔壁６とを有し、隔壁６の出口側端面６ａが底面部１３の端面１３ａから離間している。プロテクタ本体２は、幅広側に隔壁６を有し、幅狭側には隔壁を有していない。
【００１８】
プロテクタ本体２は、幅狭側では電線束を一纏めに収容して保護し、幅広側では、幹線と支線とに分けて、幹線を隔壁６と一方の側面部１４との間に収容し、支線を隔壁６と他方の側面部１５との間に収容するようになっている。
【００１９】
第１の蓋３は、一方の側面部１４と第１のヒンジ１６で連結され、一方の側面部１４から隔壁６までの上部開口を閉じるようになっている。第２の蓋４は、他方の側面部１５と第２のヒンジ１７で連結され、他方の側面部１５から隔壁６までの上部開口を閉じるようになっている。第３の蓋５は、一方の側面部１４と第３のヒンジ１８で連結され、一方の側面部１４から他方の側面部１５までの上部開口を閉じるようになっている。
【００２０】
図２〜図５に示すように、矩形枠７は、隔壁６の出口側端面６ａがプロテクタ本体２の端部から離間している空間を占めて設けられ、底面部１３および隔壁６と一体に設けられている。第１の蓋３と第２の蓋４とを閉じた状態に係止する係止手段は、矩形枠７の上辺部を構成している第１の雌型係止部８と、第１の蓋３に設けられた第１の雄型係止部９と、第２の蓋４に設けられた第２の雄型係止部１０とで構成される。
【００２１】
矩形枠７の上辺部を構成している第１の雌型係止部８は、平面視において隔壁６の長手方向に長い矩形孔８ａを有する矩形枠状に形成され、矩形孔８ａの入口周縁が面取りされ挿入ガイド面を構成している。
【００２２】
第１の雄型係止部９は、第１の蓋３の閉側の側端面より設けられ、２つの細柱部９ａと、各細柱部９ａの外側面より突出する第１の爪部９ｂと、２つの細柱部９ａの先端同士の距離が狭まるように先端同士を一体に繋いでいるＭ形連結部９ｃとを有する。第１の雄型係止部９は、２つの細柱部９ａが矩形孔８ａの両端を占めるように挿入されかつ第１の爪部９ｂが第１の雌型係止部８の短辺部の内方の段差部に係止されるように構成されている。なお、第１の雄型係止部９は、Ｍ形連結部９ｃを有していなくてもよい。
【００２３】
第２の雄型係止部１０は、第２の蓋４の閉側の側端面より設けられ、板状部１０ａと、板状部１０ａの平面より突出する第２の爪部１０ｂと、を有し、矩形孔８ａに第１の雄型係止部９が挿入された後の矩形孔８ａの開口部分に板状部１０ａと第２の爪部１０ｂが挿入されかつ第２の爪部１０ｂが第１の雌型係止部８に長辺部の内端に係止されるように構成されている。
【００２４】
この係止手段は、第１の蓋３と第２の蓋４の閉じる順序が決まっており、第１の雌型係止部８の矩形孔８ａに対し、先に、第１の雄型係止部９を差し込むことで第１の蓋３が閉じた状態に係止され、第１の蓋３を閉じた後も、第１の雄型係止部９が矩形孔８ａの両側部を占めかつ中程を引き続いて開口している。そこで、続いて、矩形孔８ａの残りの開口部分に第２の雄型係止部１０を差し込むことで第１の蓋３を閉じた状態に係止できるようになっている。
【００２５】
次に作用を説明する。
プロテクタ１は、一方の側面部１４と隔壁６の出口側端面６ａとの収容空間に幹線を収容するとともに、他方の側面部１５と隔壁６の出口側端面６ａとの収容空間に支線を収容し、第１の蓋３と第２の蓋４のうち、先に第１の蓋３を閉じて、第１の雄型係止部９を第１の雌型係止部８の矩形孔８ａに差し込み、後から第２の蓋４を閉じて、第２の雄型係止部１０を第１の雌型係止部８の矩形孔８ａの残りの開口部分に差し込むことで、幹線と支線とを区分けした状態に保護することができる。
【００２６】
この構成により、プロテクタ１は、係止手段が第１の蓋３と第２の蓋４との閉じ合わせ側端縁に配設された構成、すなわち、係止手段が幅方向の両側縁ではなく、幅方向の中程に配設された構成であり、しかも、係止手段が、第１の雌型係止部８に第１の蓋３と第２の蓋４とを順に差し込む構成であり、ダブル係止でありながら係止手段の幅がシングル係止の幅で設けられているので、閉蓋状態に係止する係止手段を含めてプロテクタ本体２の幅寸法を小さくすることができ、より狭い空間に設置可能である。
【００２７】
この構成により、プロテクタ１は、第１の雄型係止部９が、第１の雌型係止部８の矩形孔８ａの両側部を占めて安定して差し込まれ、第２の雄型係止部１０が、第１の雌型係止部８の矩形孔８ａに第１の雄型係止部９が挿入された後の矩形孔８ａの残りの開口部分に差し込まれるというダブル係止となり、プロテクタ本体２の幅寸法を小さくすることができ、より狭い空間に設置可能である。
【００２８】
本発明によれば、部品の種類・点数が少なく、簡素な形状の部品を組み立てて２つの電線束近接部を一定距離を開けて簡単に連結することができるという効果を有し、プロテクタを有するワイヤハーネス全般に有用である。
【符号の説明】
【００２９】
１  プロテクタ
２  プロテクタ本体
３  第１の蓋
４  第２の蓋
５  第３の蓋
６  隔壁
６ａ  出口側端面
７  矩形枠
８  第１の雌型係止部（雌型係止部；係止手段）
８ａ  矩形孔
８ｂ  段差部
９  第１の雄型係止部（係止手段）
９ａ  細柱部
９ｂ  第１の爪部
１０  第２の雄型係止部（係止手段）
１０ａ  板状部
１０ｂ  第２の爪部
１３  底面部
１３ａ  端面
１４，１５  側面部
１６  第１のヒンジ
１７  第２のヒンジ
【図１】
2017118762.tif 000003
【図２】
2017118762.tif 000004
【図３】
2017118762.tif 000005
【図４】
2017118762.tif 000006
【図５】
2017118762.tif 000007
【図６】
2017118762.tif 000008